(57)【要約】【課題】一面を露出可能としつつ、ディスク状記録媒体の出し入れ時における破損事故の発生を回避する。【解決手段】開口部２２が形成された上シェル３ｂを備えたカートリッジ本体２と、シャッタ部材４によって下シェル３ａの開口部１２が閉塞されるときに当接位置にスライドさせられてディスク状記録媒体を保持（挟持）すると共にシャッタ部材４によって開口部１２が開口されるときに解除位置にスライドさせられて保持を解除する保持片７および保持部３５と、保持片７を当接位置に向けて付勢するスプリングＳ１とを備え、保持片７は、当接位置に位置した状態でディスク状記録媒体が矢印Ｍの向きに移動したときに解除位置に向けてスライドさせられ、保持部３５は、保持片７がディスク状記録媒体の移動に伴ってスライドしたときに当接位置において外縁部に対する当接を解除する。【選択図】        図１５
2004272950.tif 000002
【特許請求の範囲】
【請求項１】
収容状態のディスク状記録媒体に対するディスクアクセスを可能にする第１開口部が形成された下シェル、および前記ディスク状記録媒体の出し入れを可能にするディスク出入口が形成された上シェルを備えて構成されたカートリッジ本体と、当該カートリッジ本体に対してスライド可能に配設されて前記第１開口部を開口可能に閉塞するシャッタ部材と、当該シャッタ部材によって前記第１開口部が閉塞されるときに前記ディスク状記録媒体の外縁部に当接可能な当接位置にスライドさせられて当該ディスク状記録媒体を挟持するようにして保持すると共に当該シャッタ部材によって当該第１開口部が開口されるときに当該外縁部に対する当接を解除する解除位置にスライドさせられて当該ディスク状記録媒体の保持を解除する第１のディスク保持部および第２のディスク保持部と、当該第１のディスク保持部を前記当接位置に向けて付勢する付勢手段とを備えて構成され、
前記第１のディスク保持部は、前記当接位置に位置した状態において前記付勢手段による付勢方向とは逆向きに前記ディスク状記録媒体が移動したときに当該外縁部に対する当接を維持しつつ前記解除位置に向けてスライド可能に構成され、
前記第２のディスク保持部は、前記当接位置に位置した状態において前記第１のディスク保持部が前記ディスク状記録媒体の移動に伴って前記解除位置に向けてスライドしたときに当該当接位置において前記外縁部に対する当接を解除可能に構成されているディスクカートリッジ。
【請求項２】
前記ディスク状記録媒体を載置可能に形成されると共に前記第１開口部と当該ディスクカートリッジの厚み方向において重ね合わされることによって前記ディスク状記録媒体に対するディスクアクセスを可能にする第２開口部が形成されて前記カートリッジ本体内に回動可能に配設されたディスクトレイを備え、
前記シャッタ部材は、前記ディスクトレイの回動時において、前記第１開口部を開口する開口位置または当該第１開口部を閉塞する閉塞位置に当該回動したディスクトレイによってスライドさせられて当該第１開口部を開閉可能に構成され、
前記両ディスク保持部は、前記当接位置に位置した状態において前記ディスクトレイが回動した際に当該ディスクトレイによって前記解除位置にスライドさせられる請求項１記載のディスクカートリッジ。
【請求項３】
前記第１のディスク保持部は、前記カートリッジ本体に回動可能に軸支されている請求項１または２記載のディスクカートリッジ。
【請求項４】
前記第２のディスク保持部は、前記シャッタ部材に立設されている請求項１から３のいずれかに記載のディスクカートリッジ。
【請求項５】
前記付勢手段は、ねじりコイルばねで構成されている請求項１から４のいずれかに記載のディスクカートリッジ。
【発明の詳細な説明】
【０００１】
【発明の属する技術分野】
本発明は、下シェルおよび上シェルを備えて構成されたカートリッジ本体内にディスク状記録媒体が取り出し可能に収容されるディスクカートリッジに関するものである。
【０００２】
【従来の技術】
この種のディスクカートリッジとして、上ケース（４）および下ケース（５）を備えて構成されたカートリッジケース（１）内に記録用ディスク（３）をディスクホルダー（２）と共に収容したディスクカートリッジが特許第３１１２６７３号公報に開示されている。このディスクカートリッジは、カートリッジケースからの記録用ディスクの取り出し、およびカートリッジケース内への記録用ディスクの収容が可能に構成されている。また、このディスクカートリッジは、カートリッジケース内に収容された状態の記録用ディスクに対するディスクアクセスを可能とするために、上ケースおよび下ケースの双方にアクセス開口（６）が形成されて、このアクセス開口がシャッター７によって開閉される構成が採用されている。また、ディスクホルダーは、記録用ディスクの周面（外縁部）を弾性的に挟持するディスク保持部（１２，１２）と、ディスク保持部の基端部を連結すると共にカートリッジケースに嵌合してディスクホルダー挿入用開口（１１）を閉塞する嵌合部（１３）とを備えて、カートリッジケースに対して着脱可能に構成されている。
【０００３】
このディスクカートリッジでは、カートリッジケース内に記録用ディスクを収容する際には、まず、記録用ディスクをディスクホルダーに取り付ける。具体的には、ディスクホルダーの両ディスク保持部を押し開くようにして記録用ディスクを両ディスク保持部の先端側から基端部側に向けて移動させる。この際に、両ディスク保持部が弾性復帰して記録用ディスクを挟持する。次に、記録用ディスクを挟持している状態のディスクホルダーをカートリッジケースのディスクホルダー挿入用開口に挿入する。この際には、両ディスク保持部の先端がカートリッジケース内のガイド突部（１９，１９）に当接して互いに離間する方向に弾性変形させられる。この結果、両ディスク保持部による記録用ディスクの保持が解除されて、カートリッジケース内における記録用ディスクの回転が許容される。これにより、記録用ディスクの収容が完了する。一方、カートリッジケース内から記録用ディスクを取り出す際には、まず、ディスクホルダーの押圧部（１５，１５）を押圧することによってカートリッジケースに対するディスクホルダーのロックを解除した後に、カートリッジケースからディスクホルダーを引き抜く。この際には、ガイド突部に対する当接が解除されることによってディスクホルダーの両ディスク保持部が弾性復帰して記録用ディスクを挟持する。これにより、ディスクホルダーによって挟持された状態の記録用ディスクがカートリッジケース外に取り出される。
【０００４】
【特許文献１】
特許第３１１２６７３号公報（第３−７頁）
【０００５】
【発明が解決しようとする課題】
ところが、この従来のディスクカートリッジには、以下の問題点がある。すなわち、このディスクカートリッジでは、ディスクホルダーをカートリッジケースに挿入した際に、両ディスク保持部による記録用ディスクの挟持（保持）が解除されてカートリッジケース内での記録用ディスクの回転が許容される。この場合、カートリッジケース内で記録用ディスクを回転させた際にカートリッジケースや両ディスク保持部に記録用ディスクが接触する事態を回避するためには、カートリッジケースおよび両ディスク保持部と、記録用ディスクとをある程度離間させておく必要がある。したがって、従来のディスクカートリッジでは、収容された状態の記録用ディスクがカートリッジケース内で大きく移動可能な構成となっている。このため、従来のディスクカートリッジには、その持ち運び時などに記録用ディスクがカートリッジケース内でがたついて傷が付き易いという問題点がある。
【０００６】
この場合、互いに接近または離間させられる向きにスライド可能に配設された一対のシャッタ部材によってディスクアクセス用の開口部を閉塞または開口可能に構成されると共に、両シャッタ部材に立設されたディスク保持用爪部によって記録用ディスク（光ディスク）を挟持可能に構成されたディスクカートリッジが考案されている。このディスクカートリッジによれば、両シャッタ部材が互いに接近させられて開口部を閉塞しているときには（非ディスクアクセス状態のとき）、ディスク保持用爪部によって光ディスクが挟持（保持）され、かつ両シャッタ部材が互いに離間させられて開口部が開口されているときには（ディスクアクセス状態のとき）、ディスク保持用爪部による光ディスクの挟持が解除されて回転が許容される。したがって、持ち運び時などの非ディスクアクセス状態における光ディスクの移動が規制されて傷付きが回避される。
【０００７】
一方、記録型光ディスクの普及に伴い、記録したデータの内容等を特定可能な文字情報などをレーベル面に書き込むケースが多い今日のディスクカートリッジには、カートリッジケースから取り出すことなく文字情報などを書き込み可能とするために、収容状態の光ディスクにおけるレーベル面をカートリッジケースから露出させておくのが好ましい。また、光ディスクの取り出しに際してカートリッジケースからディスクホルダを引き抜いた後にディスクホルダから光ディスクを取り外し、光ディスクの収容に際してディスクホルダに光ディスクを取り付けた後にディスクホルダをカートリッジケースに挿入する必要がある従来のディスクカートリッジには、光ディスクの出し入れが非常に煩雑であるという問題点も存在する。したがって、レーベル面を露出させ、かつ、光ディスクを容易に出し入れ可能とするために、カートリッジケース（カートリッジ本体）の上シェルに光ディスクよりも大径の略円形状の開口部を形成するのが好ましい。
【０００８】
しかし、上シェルに形成した開口部から光ディスクを取り出し可能に構成し、同時に、ディスク保持用爪部によって光ディスクを挟持する構成を採用して非ディスクアクセス状態における光ディスクの傷付きを回避しようとした場合、非ディスクアクセス状態においてディスク保持用爪部によって挟持されている光ディスクをカートリッジ本体から取り出すのが困難となる。この場合、ディスク保持用爪部によって挟持されている光ディスクを無理矢理取り出したときには、光ディスクの外縁部（ディスク保持用爪部が当接している部位）や、ディスク保持用爪部が破損するおそれがある。同様にして、ディスク保持用爪部が光ディスクを挟持可能な位置に位置させられているディスクカートリッジに光ディスクを収容する際にも、光ディスクの外縁部や、ディスク保持用爪部が破損するおそれがある。
【０００９】
本発明は、かかる問題点に鑑みてなされたものであり、ディスク状記録媒体の一面を露出可能にしつつ、ディスク状記録媒体の取り出し時および収容時におけるディスク状記録媒体およびディスク保持部の破損を回避し得るディスクカートリッジを提供することを主目的とする。
【００１０】
【課題を解決するための手段】
上記目的を達成すべく本発明に係るディスクカートリッジは、収容状態のディスク状記録媒体に対するディスクアクセスを可能にする第１開口部が形成された下シェル、および前記ディスク状記録媒体の出し入れを可能にするディスク出入口が形成された上シェルを備えて構成されたカートリッジ本体と、当該カートリッジ本体に対してスライド可能に配設されて前記第１開口部を開口可能に閉塞するシャッタ部材と、当該シャッタ部材によって前記第１開口部が閉塞されるときに前記ディスク状記録媒体の外縁部に当接可能な当接位置にスライドさせられて当該ディスク状記録媒体を挟持するようにして保持すると共に当該シャッタ部材によって当該第１開口部が開口されるときに当該外縁部に対する当接を解除する解除位置にスライドさせられて当該ディスク状記録媒体の保持を解除する第１のディスク保持部および第２のディスク保持部と、当該第１のディスク保持部を前記当接位置に向けて付勢する付勢手段とを備えて構成され、前記第１のディスク保持部は、前記当接位置に位置した状態において前記付勢手段による付勢方向とは逆向きに前記ディスク状記録媒体が移動したときに当該外縁部に対する当接を維持しつつ前記解除位置に向けてスライド可能に構成され、前記第２のディスク保持部は、前記当接位置に位置した状態において前記第１のディスク保持部が前記ディスク状記録媒体の移動に伴って前記解除位置に向けてスライドしたときに当該当接位置において前記外縁部に対する当接を解除可能に構成されている。
【００１１】
この場合、前記ディスク状記録媒体を載置可能に形成されると共に前記第１開口部と当該ディスクカートリッジの厚み方向において重ね合わされることによって前記ディスク状記録媒体に対するディスクアクセスを可能にする第２開口部が形成されて前記カートリッジ本体内に回動可能に配設されたディスクトレイを備え、前記シャッタ部材は、前記ディスクトレイの回動時において、前記第１開口部を開口する開口位置または当該第１開口部を閉塞する閉塞位置に当該回動したディスクトレイによってスライドさせられて当該第１開口部を開閉可能に構成され、前記両ディスク保持部は、前記当接位置に位置した状態において前記ディスクトレイが回動した際に当該ディスクトレイによって前記解除位置にスライドさせられるのが好ましい。
【００１２】
また、前記第１のディスク保持部は、前記カートリッジ本体に回動可能に軸支されているのが好ましい。
【００１３】
さらに、前記第２のディスク保持部は、前記シャッタ部材に立設されているのが好ましい。
【００１４】
また、前記付勢手段は、ねじりコイルばねで構成されているのが好ましい。
【００１５】
【発明の実施の形態】
以下、添付図面を参照して、本発明に係るディスクカートリッジの好適な実施の形態について説明する。
【００１６】
最初に、ディスクカートリッジ１の構成について、図面を参照して説明する。
【００１７】
図１，２に示すディスクカートリッジ１は、光ディスク１０を取り出し可能に収容したカートリッジ式の記録媒体であって、カートリッジ本体２、単一のシャッタ部材４、ディスクトレイ５および上動規制板６を備えると共に、図１１にそれぞれ示す保持片７、回動規制部材８および誤消去防止部材９を備えて構成されている。なお、図２および後に参照する図４，６，８，１０では、本発明についての理解を容易とするために、厚み方向のサイズを誇張して大きく図示している。光ディスク１０（本発明におけるディスク状記録媒体）は、一例として、片面追記型のディスク状記録媒体であって、図１，２に示すように、その中心部には、記録再生装置にチャッキングさせるための直径１５ｍｍ程度の中心孔１０ａが形成されている。一方、図２に示すように、カートリッジ本体２は、互いに嵌合可能に形成された下シェル３ａおよび上シェル３ｂを備えている。
【００１８】
下シェル３ａは、図３，４に示すように、開口部１２（本発明における第１開口部）が形成された底板１１ａと、底板１１ａの外縁部に立設されてディスクカートリッジ１の側面部分を構成する側壁１１ｂとで浅皿状に形成されている。この場合、開口部１２は、記録データの記録再生時にカートリッジ本体２内に収容されている光ディスク１０に対するディスクアクセス（記録再生装置によるチャッキングや、ピックアップによるレーザービームの照射等）を可能とする孔であって、光ディスク１０の中心部から外縁部までを露出可能な大きさに形成されている。また、底板１１ａには、シャッタ部材４の移動範囲に相当する部位を薄肉に形成して凹部１３が形成され、この凹部１３には、シャッタ部材４を回動可能に軸支するための凸部１４が立設されている。また、図３に示すように、底板１１ａには、シャッタ部材４と相俟って光ディスク１０を保持する保持片７を取り付けるための凹部１５が形成されている。
【００１９】
上シェル３ｂは、図５，６に示すように、開口部２２（本発明におけるディスク出入口）が形成された天板２１ａと、天板２１ａの外縁部に立設されて下シェル３ａの側壁１１ｂと相俟ってディスクカートリッジ１の側面部分を構成する側壁２１ｂと、開口部２２の口縁部に立設された隔壁２３とを備えて構成されている。この場合、開口部２２は、カートリッジ本体２内に収容された光ディスク１０のカートリッジ本体２外への取り出し、およびカートリッジ本体２内への収容を可能とする孔であって、光ディスク１０の一面（例えばレーベル面）を全体的に露出可能にするために、光ディスク１０よりもやや大径の略円形状に形成されている。また、上シェル３ｂには、開口部２２の一部において天板２１ａを内側に突出形成することで、カートリッジ本体２に収容されている光ディスク１０の上動を規制するための上動規制部２４が形成されている。また、天板２１ａには、上動規制部２４と相俟って光ディスク１０の上動を規制する上動規制板６を取り付けるための鍔部２５ａ，２５ａを有する取付部２５が形成されている。さらに、隔壁２３には、保持片７、およびシャッタ部材４の保持部３５（図７，８参照）を隔壁２３の内側に進入可能とするための切り欠き２３ａ，２３ｂが形成されている。
【００２０】
シャッタ部材４は、図７，８に示すように、その一端部に下シェル３ａの凸部１４が挿通可能な孔３２が形成された平板状のシャッタ本体３１と、シャッタ本体３１に立設されると共に光ディスク１０の外縁部に当接して保持片７と相俟って光ディスク１０を保持するディスク保持部（本発明における第２のディスク保持部：以下、「保持部」ともいう）３５とを備えて構成され、図２に示すように、下シェル３ａとディスクトレイ５との間に挟み込まれるようにしてカートリッジ本体２内に配設されている。この場合、シャッタ本体３１には、ディスクトレイ５の下面に立設された凸部４６（図９参照）が挿通可能なスリット３３が形成されている。また、シャッタ本体３１には、後述する閉塞位置にシャッタ部材４が位置させられた状態において光ディスク１０の中心孔１０ａと対向する部位に、中心孔１０ａよりも大径の（一例として直径１７ｍｍ）孔３４が形成されている。
【００２１】
ディスクトレイ５は、図９，１０に示すように、下シェル３ａの開口部１２とほぼ同形状の開口部４２（本発明における第２開口部）が形成された円板状の底板４１と、底板４１の外縁部に立設された側壁４３とで光ディスク１０を載置可能な浅皿状に形成されている。このディスクトレイ５は、図２に示すように、光ディスク１０と共にカートリッジ本体２内に回動可能に収容されている。この場合、図９に示すように、底板４１の下面には、シャッタ部材４のスリット３３に挿通させられる凸部４６が立設されている。また、側壁４３には、記録再生装置におけるシャッタ開閉手段（図示せず）が噛合可能な噛合用凹部４４ａ，４４ｂおよび噛合用凸部４５，４５・・が形成されている。さらに、図９，１０に示すように、側壁４３には、上シェル３ｂの隔壁２３に形成された切り欠き２３ａ，２３ｂに対してディスクカートリッジ１の平面方向において重なり合うようにして、切り欠き２３ａ，２３ｂ内に進入させられた保持片７、およびシャッタ部材４の保持部３５をディスクトレイ５上の光ディスク１０における外縁部に当接可能とするための切り欠き４３ａ，４３ｂが形成されている。
【００２２】
上動規制板６は、図２に示すように、上シェル３ｂに取り付けた状態においてその表面が天板２１ａの表面と面一となるように平板状に形成されている。また、図１１，１２に示すように、上動規制板６は、その両側部に上シェル３ｂに取り付けるためのフランジ５１，５１が形成されると共に、上シェル３ｂに対してスライドさせられた際に下シェル３ａの側壁１１ｂにおける内面に当接して上動規制板６のスライドを停止させるストッパ５２，５２が立設されている。この上動規制板６は、図１に示すように、その一辺（一端面）が上シェル３ｂにおける開口部２２の内側に突出するように位置させられることにより、上動規制部２４と相俟ってカートリッジ本体２に収容されている状態の光ディスク１０の上動を規制する。
【００２３】
保持片７は、本発明における第１のディスク保持部に相当し、図１１に示すように、下シェル３ａに取り付けるための柱状部６２が立設された主板６１に、光ディスク１０の外縁部に当接する保持板６３が立設されている。この保持片７は、その柱状部６２が下シェル３ａの凹部１５に回動可能に取り付けられて、ねじりコイルばねで構成されたスプリングＳ１（本発明における付勢手段の一例）によって主板６１および保持板６３が図１４に示す矢印Ｌ２の向きに付勢されている。この場合、保持片７は、光ディスク１０に対するディスクアクセスを規制する常態（規制状態）においては、スプリングＳ１の付勢力によって回動（スライド）させられて、図１３に示すように、ディスクトレイ５の切り欠き４３ａ内に進入させられて保持板６３が光ディスク１０の外縁部に当接させられる位置（当接位置）に位置させられて、これにより、シャッタ部材４の保持部３５と相俟って光ディスク１０を挟持してカートリッジ本体２内に保持する。また、ディスクトレイ５の回動時には、主板６１にディスクトレイ５の側壁４３が当接することによって図１３に示す矢印Ｌ１の向きに回動（スライド）させられて、図１４に示すように、保持板６３が光ディスク１０の外縁部に対する当接を解除させられる位置（解除位置）に位置させられて光ディスク１０の保持を解除する。
【００２４】
回動規制部材８は、図１１に示すように、下シェル３ａに対して回動可能に取り付けるための柱状部６５と、ディスクトレイ５の噛合用凹部４４ｂに係合することによってディスクトレイ５の回動を規制するための爪部６６と、ディスクカートリッジ１が記録再生装置に装填された際にシャッタ開閉手段が当接させられる当接部６７とを備えて構成されている。この回動規制部材８は、図１３に示すように、スプリングＳ２によって爪部６６がディスクトレイ５の噛合用凹部４４ｂに係合する向きに付勢されてディスクトレイ５の回動を規制する。また、ディスクカートリッジ１が記録再生装置に装填された際には、シャッタ開閉手段が当接部６７に当接することによって柱状部６５を中心として爪部６６が側壁４３から離間する向きに回動させられてディスクトレイ５に対する回動の規制を解除する。誤消去防止部材９は、図１３に示すように、カートリッジ本体２に取り付けられて、ディスクカートリッジ１に対する記録データの記録（または、記録データの消去）を可能とする解除位置と、記録データの記録（または、記録データの消去）を規制する規制位置との間でスライドさせられる。
【００２５】
次に、ディスクカートリッジ１の使用方法について、図面を参照して説明する。
【００２６】
このディスクカートリッジ１では、図１３に示すように、記録再生装置から取り外されている状態（非ディスクアクセスの状態）において、下シェル３ａの開口部１２が、ディスクトレイ５の底板４１とシャッタ部材４のシャッタ本体３１とによって閉塞されている。具体的には、ディスクトレイ５は、その開口部４２と下シェル３ａの開口部１２とがディスクカートリッジ１の厚み方向において重なり合う位置（以下、この位置を「開口位置」ともいう）から図１３において反時計方向（左向き）に４５°程度回動させられた状態に位置させられている。これにより、開口部１２の開放端側（光ディスク１０の外縁部側に対するディスクアクセスを可能とする部位）がディスクトレイ５の底板４１によって閉塞されている（以下、開口部１２の開放端側を閉塞する位置を「閉塞位置」ともいう）。なお、同図および図１４，１５では、本発明の理解を容易とするために光ディスク１０および上シェル３ｂの図示を省略する。また、シャッタ部材４は、その孔３４が光ディスク１０の中心孔１０ａと重なり合う位置に位置させられている。したがって、開口部１２におけるカートリッジ本体２の中心部側の端部がシャッタ本体３１によって閉塞されている（以下、開口部１２における中心部側の端部を閉塞する位置を「閉塞位置」ともいう）。このように、このディスクカートリッジ１では、常態において、開口部１２がディスクトレイ５の底板４１とシャッタ部材４のシャッタ本体３１とによって閉塞されている。
【００２７】
また、このディスクカートリッジ１では、常態において、保持片７と、シャッタ部材４の保持部３５とがディスクトレイ５の切り欠き４３ａ，４３ｂ内にそれぞれ進入して（当接位置に位置させられて）、光ディスク１０を挟持するようにして保持している。したがって、非ディスクアクセス状態におけるカートリッジ本体２内での光ディスク１０のがたつきが回避されている。また、カートリッジ本体２内に収容された光ディスク１０は、図１に示すように、上シェル３ｂの上動規制部２４と上動規制板６とによって上方への離脱が規制されている。
【００２８】
一方、ディスクカートリッジ１を記録再生装置に装填した際には、ディスクカートリッジ１が記録再生装置によって装置内部に引き込まれる。この際には、記録再生装置のシャッタ開閉手段によってディスクトレイ５が回動させられ、これにより、シャッタ部材４がスライドさせられて開口部１２が開口される。具体的には、ディスクカートリッジ１を図１３に示す矢印Ｉ１の向きで記録再生装置に装填した際には、記録再生装置のシャッタ開閉手段がディスクカートリッジ１に対して矢印Ｉ２の向きで相対的に移動させられる。この際に、シャッタ開閉手段が回動規制部材８の当接部６７に当接することにより、当接部６７が柱状部６５を中心として矢印Ｊ１の向きで移動（回動）させられる。これに伴い、爪部６６が矢印Ｊ２の向きで移動（回動）させられる結果、ディスクトレイ５の噛合用凹部４４ｂと爪部６６との係合が解除されてディスクトレイ５の回動が許容される。次に、ディスクカートリッジ１が矢印Ｉ１の向きでさらに引き込まれた場合、シャッタ開閉手段がディスクトレイ５の噛合用凸部４５，４５・・に噛合する。次いで、ディスクカートリッジ１がさらに引き込まれた際には、ディスクトレイ５が矢印Ｈ１の向きで回動させられる。
【００２９】
この際には、ディスクトレイ５が開口位置に向けて回動させられて、図１４に示すように、下シェル３ａの開口部１２とディスクトレイ５の開口部４２とがディスクカートリッジ１の厚み方向において重ね合わされる。この結果、底板４１によって閉塞されていた開口部１２の開放端側が開口される。また、ディスクトレイ５の回動に伴って保持片７の主板６１に側壁４３が当接する結果、保持片７が柱状部６２を中心として図１３に示す矢印Ｌ１の向きに回動させられて、図１４に示すように、保持板６３が光ディスク１０の外縁部に対する当接を解除する解除位置に位置させられる結果、保持片７による光ディスク１０の保持が解除される。さらに、ディスクトレイ５が回動させられた際には、ディスクトレイ５の凸部４６がシャッタ部材４のスリット３３内を図１３に示す矢印Ｋ１の向きにスライドさせられた後に矢印Ｋ２の向きにスライドさせられる。これに伴い、シャッタ部材４は、下シェル３ａに対して凸部１４を中心とする円弧状の軌跡で矢印Ｆ１の向きにスライドさせられる。この結果、図１４に示すように、シャッタ部材４が下シェル３ａの開口部１２上から待避させられて（以下、この位置を「開口位置」ともいう）、シャッタ本体３１によって閉塞されていた開口部１２の中心部側端部が開口される。また、シャッタ部材４のスライドに伴って保持部３５が光ディスク１０の外縁部に対する当接を解除する解除位置に位置させられる結果、保持部３５による光ディスク１０の保持が解除される。これにより、開口部１２の開口および光ディスク１０の保持の解除（回転の許容）が完了し、カートリッジ本体２の外部からの光ディスク１０に対するディスクアクセスが可能な状態となる。この後、記録再生装置によって中心孔１０ａの口縁部がチャッキングされた光ディスク１０に対して、開口部１２，４２を介してのレーザービームの照射（記録データの記録または再生）が実行される。
【００３０】
一方、記録データの記録再生を完了したディスクカートリッジ１を記録再生装置から取り出す際には、記録再生装置のシャッタ開閉手段によってディスクトレイ５が回動させられ、これにより、シャッタ部材４がスライドさせられて開口部１２が閉塞される。具体的には、ディスクカートリッジ１が記録再生装置によって図１４に示す矢印Ｏ１の向きで排出される際に、記録再生装置のシャッタ開閉手段がディスクカートリッジ１に対して矢印Ｏ２の向きで相対的に移動させられる。この際には、ディスクトレイ５が閉塞位置に向けて矢印Ｈ２の向きで回動させられて、図１３に示すように、下シェル３ａにおける開口部１２の開放端側がディスクトレイ５の底板４１によって閉塞される。また、ディスクトレイ５の回動に伴って保持片７が側壁４３の切り欠き４３ａ内に進入して、保持板６３が光ディスク１０の外縁部に当接する当接位置に位置させられる結果、保持片７によって光ディスク１０が保持される。
【００３１】
さらに、ディスクトレイ５の回動に伴って、ディスクトレイ５の凸部４６がシャッタ部材４のスリット３３内を図１４に示す矢印Ｋ１の向きにスライドさせられた後に矢印Ｋ２の向きにスライドさせられる。これに伴い、シャッタ部材４は、下シェル３ａに対して凸部１４を中心とする円弧状の軌跡で閉塞位置に向けて矢印Ｆ２の向きでスライドさせられる。この結果、図１３に示すように、開口部１２の中心部側端部がシャッタ部材４のシャッタ本体３１によって開口される。また、シャッタ部材４のスライドに伴って保持部３５がディスクトレイ５の切り欠き４３ｂ内に進入させられて光ディスク１０の外縁部に当接する当接位置に位置させられる。この結果、保持部３５によって光ディスク１０が保持される。また、ディスクトレイ５が閉塞位置まで回動させられた際には、図１３に示すように、回動規制部材８の爪部６６がディスクトレイ５の噛合用凹部４４ｂに係合する結果、ディスクトレイ５の回動が規制される。これにより、開口部１２の閉塞および光ディスク１０の保持が完了する。この状態では、保持片７および保持部３５によって保持された光ディスク１０におけるレーベル面のほぼ全域が上シェル３ｂの開口部２２から露出する。したがって、光ディスク１０をカートリッジ本体２から取り出すことなく、記録再生装置によって光ディスク１０に記録したデータの内容などを特定可能な文字情報を光ディスク１０のレーベル面に書き入れることが可能となる。
【００３２】
一方、このディスクカートリッジ１では、カートリッジ本体２内に収容されている光ディスク１０をカートリッジ本体２外に取り出して、例えば、汎用のディスクドライブによって記録データを再生（または記録）したり、ブランクディスク（未記録の光ディスク１０）をカートリッジ本体２内に収容して、その状態でブランクディスクに対する記録データの記録再生を実行することも可能となっている。具体的には、図１５に示すように、まず、矢印Ｇ１の向きで上動規制板６をカートリッジ本体２に対してスライドさせる。これにより、上動規制板６による光ディスク１０に対する上動規制が解除される。次に、光ディスク１０の中心孔１０ａに例えば人差し指を差し込む。この際に、図２に示すように、シャッタ部材４の孔３４を光ディスク１０の中心孔１０ａよりも大径に形成しているため、人差し指が中心孔１０ａに奥深くまで差し込まれる。次に、図１５に示す矢印Ｍの向きに光ディスク１０を移動させつつ、上動規制板６によって上動を規制されていた側の端部を持ち上げるようにして、光ディスク１０をカートリッジ本体２から取り出す。この際に、光ディスク１０の移動に伴って、保持板６３が光ディスク１０の外縁部に当接させられた状態を維持しつつ光ディスク１０と共に移動させられる。この結果、保持片７がスプリングＳ１の付勢力に抗して柱状部６２を中心として矢印Ｌ１の向きに（解除位置に向けて）に回動させられる。また、保持片７と相俟って光ディスク１０を挟持していた保持部３５は、光ディスク１０が移動させられたとしても当接位置から移動することなく、その当接位置において光ディスク１０の外縁部に対する当接を解除する。これにより、保持部３５による光ディスク１０の保持が解除されて、光ディスク１０がカートリッジ本体２から取り出される。この後、取り出した光ディスク１０をディスクドライブにセットして記録データの再生等を実行する。
【００３３】
また、ブランクディスクをカートリッジ本体２内に収容する際には、ブランクディスクの中心孔１０ａに人差し指を差し込んだ状態で、その一端部をディスクトレイ５の底板４１と上シェル３ｂの上動規制部２４との間に差し込むようにしてカートリッジ本体２内に収容する。この際に、光ディスク１０の外縁部が当接した保持片７がスプリングＳ１の付勢力に抗して柱状部６２を中心として矢印Ｌ１の向きに（解除位置に向けて）に回動させられる。この状態で光ディスク１０をディスクトレイ５の上に載置した場合、シャッタ部材４の保持部３５と光ディスク１０の外縁部との間に隙間が生じることとなる。したがって、光ディスク１０の外縁部を保持部３５に当接させることなくディスクトレイ５に載置することができる。また、ディスクトレイ５の上に載置された光ディスク１０は、スプリングＳ１の付勢力によって保持片７が図１４に示す矢印Ｌ２の向きで回動させられることにより、その外縁部が保持部３５に当接する向き（図１５に示す矢印Ｍの逆向き）に移動させられる。これにより、保持片７および保持部３５によって光ディスク１０が挟持される。次に、上動規制板６を図１５に示す矢印Ｇ２の向きでスライドさせる。この際には、上動規制板６の先端部がブランクディスクの上方に突出する結果、上シェル３ｂの上動規制部２４と上動規制板６とによってブランクディスクの上動が規制される。この後、前述したようにして、このディスクカートリッジ１を記録再生装置に装填することにより、ブランクディスクに対する記録データの記録または再生が実行される。
【００３４】
このように、このディスクカートリッジ１によれば、光ディスク１０の出し入れ（取り出しおよび収納）を可能にする略円形状の開口部２２を上シェル３ｂに形成したことにより、カートリッジ本体２に収容した状態で光ディスク１０の一面（例えばレーベル面）を露出させることができる。これにより、カートリッジ本体２から光ディスク１０を取り出すことなく、光ディスク１０の記録内容等を特定するための文字情報等を書き入れることができると共にレーベル面に書き入れられた文字情報等を視認することができる。この場合、スプリングＳ１によって当接位置に向けて付勢された状態で解除位置に向けてスライド（回動）可能に構成された保持片７と、保持片７が解除位置に向けてスライドしたときに当接位置において光ディスク１０の外縁部に対する当接を解除可能な保持部３５とによって光ディスク１０を保持（挟持）する構成を採用したことにより、非ディスクアクセス状態におけるカートリッジ本体２内での光ディスク１０の移動が規制されて光ディスク１０の傷付きを回避することができると共に、開口部２２から光ディスク１０を取り出す際や、開口部２２からカートリッジ本体２内に光ディスク１０を収容する際に、保持片７を解除位置に向けてスライド（回動）させることによって光ディスク１０の外縁部と保持部３５との間に隙間を形成することができる結果、外縁部にストレスを与えることなく、光ディスク１０を取り出しまたは収容することができる。これにより、光ディスク１０の破損を回避することができる。
【００３５】
また、このディスクカートリッジ１によれば、ディスクトレイ５が回動した際にディスクトレイ５によって保持片７および保持部３５が解除位置にスライドさせられる構成を採用したことにより、比較的簡易な構成でありながら、光ディスク１０の保持および保持解除を確実に行うことができる。また、ディスクトレイ５を回動させるだけで、シャッタ部材４およびディスクトレイ５による開口部１２の開閉と、保持片７および保持部３５による光ディスク１０の保持または保持解除とを行うことができる。
【００３６】
さらに、このディスクカートリッジ１によれば、保持板６３が円弧状の軌跡を描くようにしてスライド（回動）可能に保持片７をカートリッジ本体２（下シェル３ａ）に軸支させたことにより、例えば保持片７がカートリッジ本体２に対して平行移動するようにして当接位置および解除位置の間をスライドする構成とは異なり、保持片７のスライド時における引っ掛かりを防止することができる結果、光ディスク１０の保持および保持解除を確実に行うことができる。
【００３７】
また、このディスクカートリッジ１によれば、保持部３５をシャッタ部材４に立設したことにより、シャッタ部材４をスライドさせるだけで本発明における第２のディスク保持部材をスライドさせることができる。このため、保持専用の部品を用いて保持片７と相俟って光ディスク１０を挟持（保持）する構成と比較して、小さな力で、光ディスク１０の保持または保持解除を行うことができる。
【００３８】
さらに、このディスクカートリッジ１によれば、スプリングＳ１をねじりコイルばねで構成したことにより、例えば板ばねと比較して繰り返して使用した際の付勢力の変化量（ヘタリの度合い）が小さいため、長期に亘って、光ディスク１０を確実に保持することができる。
【００３９】
なお、本発明は、上記した実施の形態に限定されない。例えば、本発明の実施の形態では、追記型の光ディスク１０をカートリッジ本体２内に収容したディスクカートリッジ１を例に挙げて説明したが、本発明におけるディスク状記録媒体はこれに限定されず、再生専用タイプの光ディスクや、書き換え可能型の光ディスクなどの各種の光ディスクを収容してディスクカートリッジを構成することができる。また、本発明におけるディスク状記録媒体には、光ディスクのみならず、光磁気ディスクや磁気ディスクが含まれる。さらに、本発明の実施の形態では、単一のシャッタ部材４とディスクトレイ５とで開口部１２を閉塞可能に構成した例について説明したが、本発明はこれに限定されず、一対のシャッタ部材によって開口部１２を閉塞する構成を採用することもできる。
【００４０】
【発明の効果】
以上のように、本発明に係るディスクカートリッジによれば、ディスク状記録媒体の出し入れを可能にするディスク出入口を上シェルに形成したことにより、カートリッジ本体に収容した状態でディスク状記録媒体の一面（例えばレーベル面）を露出させることができる。これにより、カートリッジ本体からディスク状記録媒体を取り出すことなく、ディスク状記録媒体の記録内容等を特定するための文字情報等を書き入れることができると共にレーベル面に書き入れられた文字情報等を視認することができる。この場合、付勢手段によって当接位置に向けて付勢された状態で解除位置に向けてスライド可能に構成された第１のディスク保持部と、第１のディスク保持部が解除位置に向けてスライドしたときに当接位置において外縁部に対する当接を解除可能な第２のディスク保持部とによってディスク状記録媒体を保持（挟持）する構成を採用したことにより、非ディスクアクセス状態におけるカートリッジ本体内でのディスク状記録媒体の移動が規制されてディスク状記録媒体の傷付きを回避することができると共に、ディスク出入口からディスク状記録媒体を取り出す際や、ディスク出入口からカートリッジ本体内にディスク状記録媒体を収容する際に、第１のディスク保持部を解除位置に向けてスライドさせることによってディスク状記録媒体の外縁部と第２のディスク保持部との間に隙間を形成することができる結果、外縁部にストレスを与えることなく、ディスク状記録媒体を取り出しまたは収容することができる。これにより、ディスク状記録媒体の破損を回避することができる。
【００４１】
また、本発明に係るディスクカートリッジによれば、ディスクトレイが回動した際にディスクトレイによって両ディスク保持部が解除位置にスライドさせられる構成を採用したことにより、比較的簡易な構成でありながら、ディスク状記録媒体の保持および保持解除を確実に行うことができる。また、ディスクトレイを回動させるだけで、シャッタ部材による第１開口部の開閉と、両ディスク保持部によるディスク状記録媒体の保持または保持解除とを行うことができる。
【００４２】
さらに、本発明に係るディスクカートリッジによれば、第１のディスク保持部をカートリッジ本体に軸支させたことにより、例えば第１のディスク保持部がカートリッジ本体に対して平行移動するようにして当接位置および解除位置の間をスライドする構成とは異なり、第１のディスク保持部のスライド時（回動時）における引っ掛かりを防止することができる結果、ディスク状記録媒体の保持および保持解除を確実に行うことができる。
【００４３】
また、本発明に係るディスクカートリッジによれば、第２のディスク保持部をシャッタ部材に立設したことにより、シャッタ部材をスライドさせるだけで第２のディスク保持部材をスライドさせることができる。このため、保持専用の部品を用いて第１のディスク保持部と相俟ってディスク状記録媒体を挟持（保持）する構成と比較して、小さな力で、ディスク状記録媒体の保持または保持解除を行うことができる。
【００４４】
さらに、本発明に係るディスクカートリッジによれば、付勢手段をねじりコイルばねで構成したことにより、例えば板ばねと比較して繰り返して使用した際の付勢力の変化量（ヘタリの度合い）が小さいため、長期に亘って、ディスク状記録媒体を確実に保持することができる。
【図面の簡単な説明】
【図１】本発明の実施の形態に係るディスクカートリッジ１の平面図である。
【図２】図１におけるＡ−Ａ線断面図である。
【図３】カートリッジ本体２における下シェル３ａの平面図である。
【図４】図３におけるＢ−Ｂ線断面図である。
【図５】カートリッジ本体２における上シェル３ｂの平面図である。
【図６】図５におけるＣ−Ｃ線断面図である。
【図７】シャッタ部材４の平面図である。
【図８】図７におけるＤ−Ｄ線断面図である。
【図９】ディスクトレイ５の平面図である。
【図１０】図９におけるＥ−Ｅ線断面図である。
【図１１】上動規制板６、保持片７、回動規制部材８、誤消去防止部材９およびスプリングＳ１，Ｓ２の平面図である。
【図１２】上動規制板６の側面図である。
【図１３】下シェル３ａの開口部１２がディスクトレイ５およびシャッタ部材４によって閉塞された状態の平面図である。
【図１４】下シェル３ａの開口部１２が開口された状態の平面図である。
【図１５】カートリッジ本体２に対して上動規制板６をスライドさせた状態の平面図である。
【符号の説明】
１  ディスクカートリッジ
２  カートリッジ本体
３ａ  下シェル
３ｂ  上シェル
４  シャッタ部材
５  ディスクトレイ
６  上動規制板
７  保持片
８  回動規制部材
１０  光ディスク
１１ａ  底板
１５  凹部
２１ａ  天板
２２  開口部
２３ａ，２３ｂ，４３ａ，４３ｂ  切り欠き
３１  シャッタ本体
３５  保持部
４１  底板
４２  開口部
６１  主板
６２  柱状部
６３  保持板
Ｓ１  スプリング
【図１】
2004272950.tif 000003
【図２】
2004272950.tif 000004
【図３】
2004272950.tif 000005
【図４】
2004272950.tif 000006
【図５】
2004272950.tif 000007
【図６】
2004272950.tif 000008
【図７】
2004272950.tif 000009
【図８】
2004272950.tif 000010
【図９】
2004272950.tif 000011
【図１０】
2004272950.tif 000012
【図１１】
2004272950.tif 000013
【図１２】
2004272950.tif 000014
【図１３】
2004272950.tif 000015
【図１４】
2004272950.tif 000016
【図１５】
2004272950.tif 000017